(57)【要約】【課題】  止着ネジの緩みを効果的に防止することができ、リムにエンドピースやブリッジなどの構成部品を確実かつ安定に止着することができ、しかも、パーツを交換することにより眼鏡デザインを気軽に変更することもできる眼鏡リムの止着機構を提供すること。【解決手段】  上下一対のスリーブ突起11・11を外周縁の所要位置に備えたリム１と；エンドピースＥおよび／またはブリッジＢの端部に装着する結合部品であって、前記リム１に対向する面にはリム囲い溝22を備え、このリム囲い溝22の溝底には前記リム１のスリーブ突起11・11が貫挿可能な通孔21・21が開設されたジョイント部品２と；このジョイント部品２の外面に充当して固定される板状体であって、前記ジョイント部品２の通孔21・21を貫通した状態の前記リム１のスリーブ突起11・11に開設されたネジ受け孔11ａ・11ａに螺合した止着ネジ４のネジ頭41を少なくとも被覆するカバー部品３とによって構成した。【選択図】  図２
2005215062.tif 000002
【特許請求の範囲】
【請求項１】
上下一対のスリーブ突起11・11を外周縁の所要位置に備えたリム１と；エンドピースＥおよび／またはブリッジＢの端部に装着する結合部品であって、前記リム１に対向する面にはリム囲い溝22を備え、このリム囲い溝22の溝底には前記リム１のスリーブ突起11・11が貫挿可能な通孔21・21が開設されたジョイント部品２と；このジョイント部品２の外面に充当して固定される板状体であって、前記ジョイント部品２の通孔21・21を貫通した状態の前記リム１のスリーブ突起11・11に開設されたネジ受け孔11ａ・11ａに螺合した止着ネジ４のネジ頭41を少なくとも被覆するカバー部品３とによって構成されていることを特徴とする眼鏡リムの止着機構。
【請求項２】
リム１のスリーブ突起11の外周に滑り止め11ｂが形成されていることを特徴とする請求項１記載の眼鏡リムの止着機構。
【請求項３】
上下一対の雄ネジピン12・12を外周縁の所要位置に備えたリム１と；エンドピースＥおよび／またはブリッジＢの端部に装着する結合部品であって、前記リム１に対向する面にはリム囲い溝22を備え、このリム囲い溝22の溝底には前記雄ネジピン12・12が貫挿可能な通孔21・21が開設されたジョイント部品２と；このジョイント部品２の外面に充当して固定される板状体であって、前記ジョイント部品２の通孔21・21を貫通した状態の前記リム１の雄ネジピン12・12に螺合したスリーブ状の止着ネジ４のネジ頭41を少なくとも被覆するカバー部品３とによって構成されていることを特徴とする眼鏡リムの止着機構。
【請求項４】
スリーブ状の止着ネジ４のスリーブ42の外周に滑り止め42ａが形成されていることを特徴とする請求項３記載の眼鏡リムの止着機構。
【請求項５】
ジョイント部品２の外面に沈み穴23が形成されており、この沈み穴23にカバー部品３が充当することを特徴とする請求項１〜４の何れか一つに記載の眼鏡リムの止着機構。
【請求項６】
カバー部品３におけるジョイント部品対向面側には摩合部31が形成され、この摩合部31が止着ネジ４のネジ頭41を押圧して回り止めしつつ、固定されることにより、当該止着ネジ４の緩みを防止できることを特徴とする請求項１〜５の何れか一つに記載の眼鏡リムの止着機構。
【請求項７】
カバー部品３の少なくとも外側表面に装飾性を付与したことを特徴とする請求項１〜６の何れか一つに記載の眼鏡リムの止着機構。
【請求項８】
リム１が分断して互いに合接／分離可能に構成したロック端部13・13にスリーブ突起11・11または雄ネジピン12・12がそれぞれ形成されており、レンズＬをリムロックできるようにしたことを特徴とする請求項１〜７の何れか一つに記載の眼鏡リムの止着機構。
【発明の詳細な説明】
【技術分野】
【０００１】
本発明は、眼鏡フロント枠の組立機構の改良、更に詳しくは、止着ネジの緩みを効果的に防止することができ、リムにエンドピースやブリッジなどの構成部品を確実かつ安定に止着することができ、しかも、パーツを交換することにより眼鏡デザインを気軽に変更することもできる眼鏡リムの止着機構に関するものである。
【背景技術】
【０００２】
周知のとおり、眼鏡は、リム枠やエンドピース、テンプル、ブリッジなどの構成部品を接合したり連結したりして組み立てられており、従来公知技術の例として、リムにおけるレンズ止着部分において部材同士をネジで止着する構造が開示されている（特許文献１参照）。
【０００３】
しかしながら、このような構造については、ネジの緩みが原因となって止着箇所がガタついたり、あるいはレンズが外れてしまって不都合であるため、ネジの緩みには十分な注意を必要とする。
【特許文献１】特開2002-82318号公報（第４−５頁、第２−５図）
【発明の開示】
【発明が解決しようとする課題】
【０００４】
本発明は、従来の眼鏡の組み立て構造に上記の問題点があったことに鑑みて為されたものであって、その目的とするところは、止着ネジの緩みを効果的に防止することができ、リムにエンドピースやブリッジなどの構成部品を確実かつ安定に止着することができ、しかも、パーツを交換することにより眼鏡デザインを気軽に変更することもできる眼鏡リムの止着機構を提供することにある。
【課題を解決するための手段】
【０００５】
本発明者が上記課題を解決するために採用した手段を添付図面を参照して説明すれば次のとおりである。
【０００６】
即ち、本発明は、上下一対のスリーブ突起11・11を外周縁の所要位置に備えたリム１と；エンドピースＥおよび／またはブリッジＢの端部に装着する結合部品であって、前記リム１に対向する面にはリム囲い溝22を備え、このリム囲い溝22の溝底には前記リム１のスリーブ突起11・11が貫挿可能な通孔21・21が開設されたジョイント部品２と；このジョイント部品２の外面に充当して固定される板状体であって、前記ジョイント部品２の通孔21・21を貫通した状態の前記リム１のスリーブ突起11・11に開設されたネジ受け孔11ａ・11ａに螺合した止着ネジ４のネジ頭41を少なくとも被覆するカバー部品３とによって構成するという技術的手段を採用した。
【０００７】
また、本発明は、上記課題を解決するために、必要に応じて上記手段に加え、リム１のスリーブ突起11の外周に滑り止め11ｂを形成するという技術的手段を採用した。
【０００８】
また、本発明は、上下一対の雄ネジピン12・12を外周縁の所要位置に備えたリム１と；エンドピースＥおよび／またはブリッジＢの端部に装着する結合部品であって、前記リム１に対向する面にはリム囲い溝22を備え、このリム囲い溝22の溝底には前記雄ネジピン12・12が貫挿可能な通孔21・21が開設されたジョイント部品２と；このジョイント部品２の外面に充当して固定される板状体であって、前記ジョイント部品２の通孔21・21を貫通した状態の前記リム１の雄ネジピン12・12に螺合したスリーブ状の止着ネジ４のネジ頭41を少なくとも被覆するカバー部品３とによって構成するという技術的手段を採用した。
【０００９】
また、本発明は、上記課題を解決するために、必要に応じて上記手段に加え、スリーブ状の止着ネジ４のスリーブ42の外周に滑り止め42ａを形成するという技術的手段を採用した。
【００１０】
更にまた、本発明は、上記課題を解決するために、必要に応じて上記手段に加え、ジョイント部品２の外面に沈み穴23を形成し、この沈み穴23にカバー部品３を充当するという技術的手段を採用した。
【００１１】
更にまた、本発明は、上記課題を解決するために、必要に応じて上記手段に加え、カバー部品３におけるジョイント部品対向面側には摩合部31を形成し、この摩合部31が止着ネジ４のネジ頭41を押圧して回り止めしつつ、固定されることにより、当該止着ネジ４の緩みを防止できるようにするという技術的手段を採用した。
【００１２】
更にまた、本発明は、上記課題を解決するために、必要に応じて上記手段に加え、カバー部品３の少なくとも外側表面に装飾性を付与するという技術的手段を採用した。
【００１３】
更にまた、本発明は、上記課題を解決するために、必要に応じて上記手段に加え、リム１を分断して互いに合接／分離可能に構成したロック端部13・13にスリーブ突起11・11または雄ネジピン12・12をそれぞれ形成し、レンズＬをリムロックできるようにするという技術的手段を採用した。
【発明の効果】
【００１４】
本発明による眼鏡リムの止着機構によると、ジョイント部品の通孔を貫通した状態のリムのスリーブ突起のネジ受け孔に螺合した止着ネジのネジ頭を、カバー部品で少なくとも被覆するように構成したことにより、従来品のようなネジ緩みを効果的に防止し、長期間に亙ってガタつきなく確実にリム止着することができ、また、眼鏡の組み立て作業の簡易迅速化にも資する。
【００１５】
更にまた、必要に応じて、カバー部品に装飾性を付与したならば、このカバー部品を交換するだけで眼鏡デザインを気軽に変更することも可能になることから、眼鏡における実用的利用価値は頗る高いものがある。
【発明を実施するための最良の形態】
【００１６】
本発明を実施するための最良の形態を具体的に図示した図面に基いて更に詳細に説明すると次のとおりである。
【００１７】
『第１実施形態』
本発明の第１実施形態を図１から図３に基いて説明する。なお、本実施形態では、左右一対のレンズＬ・Ｌを抱持するリム１・１がブリッジＢで連結されたフロント枠Ｆの外側縁部に、テンプルＴが連結されたエンドピースＥが配設されたフルリム眼鏡を構成している（図１参照）。
【００１８】
図中、符号１で指示するものはリムであり、本実施形態では、このリム１を上下に分断してロック端部13・13を形成し、当該内周縁にレンズＬを抱持することができるようにする。そして、このロック端部13・13には、ネジ受け孔11ａを有するスリーブ突起11をそれぞれ形成する。
【００１９】
また、符号２で指示するものはジョイント部品であり、このジョイント部品２は、エンドピースＥおよび／またはブリッジＢ（本実施形態では、エンドピースＥ）の端部に装着されており、前記リム１に対向する面には、リム囲い溝22を上下に亙り形成し、かつ、当該リム囲い溝22の溝底には一対の通孔21・21を開設する。
【００２０】
更にまた、符号３で指示するものはカバー部品であり、このカバー部品３は、前記ジョイント部品２の外面に充当して固定する板状体である。更にまた、符号４で指示するものは止着ネジであり、この止着ネジ４は、前記リム１のスリーブ突起11・11に開設されたネジ受け孔11ａ・11ａにそれぞれ螺合するものである。
【００２１】
しかして、本実施形態の止着機構の構成について図２に説明する。まず、リム１のスリーブ突起11・11を前記ジョイント部品２の通孔21・21に貫通して、当該リム１の側縁部を前記ジョイント部品２のリム囲い溝22に嵌合する。
【００２２】
次いで、前記リム１のスリーブ突起11・11に開設されたネジ受け孔11ａ・11ａに止着ネジ４を螺合させることによって固定する。なお、この状態においては、止着ネジ４のネジ頭41が通孔21のエッジ21ａに係止しているのである。
【００２３】
そして、カバー部品３を前記ジョイント部品２の外面に充当させるとともに、前記螺合した止着ネジ４のネジ頭41を少なくとも被覆する。この際、カバー部品３は、突起を嵌入させることによってジョイント部品２に固定している。
【００２４】
このようにしてリム１とエンドピースＥとを確実に止着することができる。この際、スリーブ突起11・11が寄り合ってジョイント部品２の通孔21に差込み嵌合され、止着ネジ４を螺合して固定することにより、ロック端部13・13が合接されてレンズＬをリムロックすることができるとともに、カバー部品３が止着ネジ４のネジ頭41に当接することにより回り止めすることができる。
【００２５】
また、図３に本実施形態の変形例を示す。この変形例にあっては、リム１のスリーブ突起11の外周に突起状の滑り止め11ｂを形成しておくことにより、ジョイント部品２の通孔21に貫通したとき、緊嵌状態に嵌合することができるので、より確実に止着することができる。
【００２６】
また、カバー部品３の少なくとも外側表面に宝石などの装飾片を埋め込んだり、あるいは、平面的若しくは立体的な模様を付したりして装飾性を付与することにより、眼鏡の付加価値を高めることもできるし、図示のような鉤状の係止機構によってもジョイント部品２に固定することも可能である。
【００２７】
『第２実施形態』
次に、本発明の第２実施形態を図４に基いて説明する。本実施形態では、第１実施形態におけるリム１のスリーブ突起11および止着ネジ４の凹凸嵌合関係を反対にした構成としており、リム１の外周縁の所要位置に上下一対の雄ネジピン12・12が形成されている。また、本実施形態においては、止着ネジ４をスリーブ状に形成し、このスリーブ内側にネジが切られ、前記雄ネジピン12のネジに螺合可能である。
【００２８】
そして、前記リム１の雄ネジピン12・12を、第１実施形態と同様にして構成されたジョイント部品２の通孔21・21に貫通させて、当該リム１の側縁部を前記ジョイント部品２のリム囲い溝22に嵌合する。
【００２９】
次いで、リム１の雄ネジピン12・12に、前記止着ネジ４のネジ部を螺合させながら嵌合させることによって固定し、リム１とエンドピースＥとを簡単かつ確実に止着することができる。この際、図示しないが、スリーブ状の止着ネジ４のスリーブ42の外周に滑り止めを形成することにより、止着をより確実にすることもできる。然る後、第１実施形態と同様に、カバー部品３を前記ジョイント部品２の外面に充当して固定することができる。
【００３０】
また、ジョイント部品２の外面に沈み穴23を形成し、この沈み穴23にカバー部品３を充当して固定することにより、確実に位置決めされて外れ難くすることできる上に、外観のデザイン的にもスッキリとさせることができる。
【００３１】
本発明は概ね上記のように構成されるが、図示の実施形態に限定されるものでは決してなく、「特許請求の範囲」の記載内において種々の変更が可能であって、例えば、本発明の眼鏡リムの止着機構はフルリム眼鏡において、リムロック構造を有するものを挙げて説明したが、図５に示すように、ハーフリム眼鏡においても採用することができ、この際、リム外周縁の所要位置に上下一対のスリーブ突起11・11（または雄ネジピン12・12）が形成されていれば良く、また、上記実施形態ではエンドピースＥ部分に採用した場合を説明したが、ブリッジＢ部分に採用することも当然可能である。
【００３２】
また、本実施形態では、カバー部品３におけるジョイント部品対向面側には、例えば、ローレット加工などを施したりして、摩合部31を形成することができ、この摩合部31が止着ネジ４のネジ頭41を押圧して回り止めしつつ、固定されることにより、より効果的に当該止着ネジ４の緩みを防止することができる。
【００３３】
更にまた、スリーブ突起11または止着ネジ４のスリーブ42の外周に形成する滑り止めの形状は環瘤状や突起などにしても良く、何れのものも本発明の技術的範囲に属する。
【図面の簡単な説明】
【００３４】
【図１】本発明の第１実施形態の眼鏡を表わす全体斜視図である。
【図２】本発明の第１実施形態の構造を表わす分解斜視図である。
【図３】本発明の第１実施形態の変形例を表わす分解斜視図である。
【図４】本発明の第２実施形態の構造を表わす分解斜視図である。
【図５】本発明の実施形態の変形例を表わす分解斜視図である。
【符号の説明】
【００３５】
１  リム
11    スリーブ突起
11ａ  ネジ受け孔
11ｂ  滑り止め
12    雄ネジピン
13    ロック端部
２  ジョイント部品
21    通孔
21ａ  エッジ
22    リム囲い溝
23    沈み穴
３  カバー部品
31    摩合部
４  止着ネジ
41    ネジ頭
42    スリーブ
Ｆ  フロント部
Ｌ  レンズ
Ｂ  ブリッジ  
Ｅ  エンドピース
Ｔ  テンプル  
【図１】
2005215062.tif 000003
【図２】
2005215062.tif 000004
【図３】
2005215062.tif 000005
【図４】
2005215062.tif 000006
【図５】
2005215062.tif 000007